(57)【要約】  本発明のある実施形態は、電子機器の筐体の垂直排気ダクトを提供する。垂直排気ダクトは、第１のダクト部分と、第１のダクト部分に滑動可能に接続され、第１のダクト部分上方の第１の高さへ伸長可能な第２のダクト部分と、第２のダクト部分に滑動可能に接続され、第２のダクト部分上方の第２の高さへ伸長可能な第３のダクト部分を有する。
2012532378.tif 000002
【特許請求の範囲】
【請求項１】
電子機器の筐体のための垂直排気ダクトであって、
第１のダクト部分と、
前記第１のダクト部分に滑動可能に接続され、前記第１のダクト部分の上方に位置する第１の高さに至るまで伸長可能な第２のダクト部分と、
前記第２のダクト部分に滑動可能に接続され、前記第２のダクト部分の上方に位置する第２の高さに至るまで伸長可能な第３のダクト部分と、
を備えている前記垂直排気ダクトにおいて、
前記第１のダクト部分が、前記第１の高さにおいて前記第２のダクト部分を前記第１のダクト部分に固定するための第１の複数の細長い開口部を有しており、
前記第２のダクト部分が、前記第２の高さにおいて前記第３のダクト部分を前記第２のダクト部分に固定するための第２の複数の細長い開口部を有していることを特徴とする垂直排気ダクト。
【請求項２】
前記第１の複数の細長い開口部が、第１の長さを有している第１の細長い開口部と、前記第１の長さより長い第２の長さを有している第２の細長い開口部とを備えていることを特徴とする請求項１に記載の垂直排気ダクト。
【請求項３】
前記第２のダクト部分が、前記第１の複数の細長い開口部と位置合わせされている第１の複数の開口部を備えていることを特徴とする請求項１に記載の垂直排気ダクト。
【請求項４】
前記第２の複数の開口部それぞれが、ＰＥＭナットを備えていることを特徴とする請求項３に記載の垂直排気ダクト。
【請求項５】
前記第３のダクト部分が、前記第２の複数の細長い開口部と位置合わせされている第２の複数の開口部を備えていることを特徴とする請求項１に記載の垂直排気ダクト。
【請求項６】
前記第２の複数の開口部それぞれが、ＰＥＭナットを備えていることを特徴とする請求項５に記載の垂直排気ダクト。
【請求項７】
前記第３のダクト部分が、前記垂直排気ダクトと前記電子機器の筐体の上方に配置された排気プレナムとの間に形成されている間隙を密閉するための少なくとも１つのフランジを備えていることを特徴とする請求項１に記載の垂直排気ダクト。
【請求項８】
前記第３のダクト部分に滑動可能に接続されている第１の側面フランジであって、前記垂直排気ダクトと第１の近接した垂直排気ダクトとの間に形成されている第１の間隙を密閉するために、前記第３のダクト部分の第１の側面に近接した第１の位置に至るまで伸長可能な前記第１の側面フランジを備えていることを特徴とする請求項１に記載の垂直排気ダクト。
【請求項９】
前記第３のダクト部分に滑動可能に接続されている第２の側面フランジであって、前記垂直排気ダクトと第２の近接した垂直排気ダクトとの間に形成されている第２の間隙を密閉するために、前記第３のダクト部分の第２の側面に近接した第２の位置に至るまで伸長可能な前記第２の側面フランジを備えていることを特徴とする請求項８に記載の垂直排気ダクト。
【請求項１０】
前記第１のダクト部分を前記電子機器の筐体に固定するための基部を備えていることを特徴とする請求項１に記載の垂直排気ダクト。
【請求項１１】
電子機器の筐体のための垂直排気ダクトであって、
第１のダクト部分と、
前記第１のダクト部分に滑動可能に接続され、前記第１のダクト部分の上方に位置する第１の高さに至るまで伸長可能な第２のダクト部分と、
前記第２のダクト部分に滑動可能に接続され、前記第２のダクト部分の上方に位置する第２の高さに至るまで伸長可能な第３のダクト部分と、
を備えている前記垂直排気ダクトにおいて、
前記第１のダクト部分及び前記第２のダクト部分のうち少なくとも１つのダクト部分が、前記第１の高さにおいて前記第２のダクト部分を前記第１のダクト部分に固定するための少なくとも１つの第１の固定具を備えており、
前記第２のダクト部分及び前記第３のダクト部分のうち少なくとも１つのダクト部分が、前記第２の高さにおいて前記第３のダクト部分を前記第２のダクト部分に固定するための少なくとも１つの第２の固定具を備えていることを特徴とする垂直排気ダクト。
【請求項１２】
前記第３のダクト部分が、前記垂直排気ダクトと前記電子機器の筐体の上方に配置された排気プレナムとの間に形成されている間隙を密閉するための少なくとも１つのフランジを備えていることを特徴とする請求項１１に記載の垂直排気ダクト。
【請求項１３】
前記第３のダクト部分に滑動可能に接続されている第１の側面フランジであって、前記垂直排気ダクトと第１の近接した垂直排気ダクトとの間に形成されている第１の間隙を密閉するために、前記第３のダクト部分の第１の側面に近接した第１の位置に至るまで伸長可能な前記第１の側面フランジを備えていることを特徴とする請求項１１に記載の垂直排気ダクト。
【請求項１４】
前記第３のダクト部分に滑動可能に接続されている第２の側面フランジであって、前記垂直排気ダクトと第２の近接した垂直排気ダクトとの間に形成されている第２の間隙を密閉するために、前記第３のダクト部分の第２の側面に近接した第２の位置に至るまで伸長可能な前記第２の側面フランジを備えていることを特徴とする請求項１３に記載の垂直排気ダクト。
【請求項１５】
前記第１のダクト部分を前記電子機器の筐体に固定するための基部を備えていることを特徴とする請求項１１に記載の垂直排気ダクト。
【請求項１６】
電子機器の筐体のための垂直排気ダクトであって、
第１のダクト部分と、
前記第１のダクト部分に滑動可能に接続され、前記第１のダクト部分の上方に位置する所定高さに至るまで伸長可能な第２のダクト部分と、
前記第２のダクト部分に滑動可能に接続されている第１の側面フランジであって、前記垂直排気ダクトと第１の近接した垂直排気ダクトとの間に形成されている第１の間隙を密閉するために、前記第２のダクト部分の第１の側面に近接した第１の位置に至るまで伸長可能な前記第１の側面フランジと、
を備えていることを特徴とする垂直排気ダクト。
【請求項１７】
前記第１のダクト部分が、前記所定高さにおいて前記第２のダクト部分を前記第１のダクト部分に固定するための複数の細長い開口部を備えていることを特徴とする請求項１６に記載の垂直排気ダクト。
【請求項１８】
前記第２のダクト部分が、前記複数の細長い開口部と位置合わせされている複数の開口部を備えていることを特徴とする請求項１７に記載の垂直排気ダクト。
【請求項１９】
前記複数の開口部それぞれが、ＰＥＭナットを備えていることを特徴とする請求項１８に記載の垂直排気ダクト。
【請求項２０】
前記第１のダクト部分及び前記第２のダクト部分のうち少なくとも１つのダクト部分が、前記所定高さにおいて前記第２のダクト部分を前記第１のダクト部分に固定するための少なくとも１つの固定具を備えていることを特徴とする請求項１６に記載の垂直排気ダクト。
【請求項２１】
前記第１の側面フランジが、前記第１の位置において前記第１の側面フランジを前記第２のダクト部分に固定するための複数の細長い開口部を備えていることを特徴とする請求項１６に記載の垂直排気ダクト。
【請求項２２】
前記第１の側面フランジ及び前記第２のダクト部分のうち少なくとも１つが、前記第１の位置において前記第１の側面フランジを前記第２のダクト部分に固定するための少なくとも１つの第１の固定具を備えていることを特徴とする請求項１６に記載の垂直排気ダクト。
【請求項２３】
前記第２のダクト部分に滑動可能に接続されている第２の側面フランジであって、前記垂直排気ダクトと第２の近接した垂直排気ダクトとの間に形成されている第２の間隙を密閉するために、前記第２のダクト部分の第２の側面に近接した第２の位置に至るまで伸長可能な前記第２側面フランジを備えていることを特徴とする請求項１６に記載の垂直排気ダクト。
【請求項２４】
電子機器の筐体の垂直排気ダクトにおいて、
ダクト部分と、
前記ダクト部分に滑動可能に接続されているフランジであって、前記垂直排気ダクトと近接した垂直排気ダクトとの間に形成されている間隙を密閉するために、前記ダクト部分の側面に近接した所定位置に至るまで伸長可能な前記フランジと、
を備えていることを特徴とする垂直排気ダクト。
【請求項２５】
前記フランジが、前記所定位置において前記フランジを前記ダクト部分に固定するための複数の細長い開口部を備えていることを特徴とする請求項２４に記載の垂直排気ダクト。
【請求項２６】
前記フランジ及び前記ダクト部分のうち少なくとも１つが、前記所定位置において前記フランジを前記位置で前記ダクト部分に固定するための少なくとも１つの固定具を備えていることを特徴とする請求項２４に記載の垂直排気ダクト。
【発明の詳細な説明】
【技術分野】
【０００１】
本発明は、調節可能な垂直排気ダクトに関する。とりわけ、本発明は、データセンタ室内のネットワークキャビネットのための調節可能な垂直排気ダクトに関する。
【背景技術】
【０００２】
既存の垂直排気ダクトは、熱気をデータセンタ室内においてネットワークキャビネットから排気プレナム内部に運搬する。しかし、ネットワークキャビネットおよび排気プレナムは異なる高さが可能であり、潜在的にネットワークキャビネットと排気プレナムの間に垂直の間隙を残す。また、２４、２８、または３２インチのようないろいろな幅のネットワークキャビネットに、通常同一のサイズの垂直排気ダクトが使用され、潜在的に隣りあった垂直排気ダクト間に水平の間隙を残す。
【０００３】
従って、データセンタ室内のサーバキャビネットと排気プレナムの間の垂直の間隙に適応する、調節可能な垂直排気ダクトのニーズが存在する。また、隣りあった垂直排気ダクト間の水平の間隙に適応する、調節可能な垂直排気ダクトのニーズが存在する。
【発明の概要】
【課題を解決するための手段】
【０００４】
本発明のある実施形態は、電子機器の筐体の垂直排気ダクトを提供する。垂直排気ダクトは、第１のダクト部分と、第１のダクト部分に滑動可能に接続され、第１のダクト部分上方の第１の高さへ伸長可能な第２のダクト部分と、第２のダクト部分に滑動可能に接続され、第２のダクト部分上方の第２の高さへ伸長可能な第３のダクト部分を有する。
【０００５】
本発明のある実施形態では、第１のダクト部分が、第２のダクト部分を第１の高さで第１のダクト部分に固定する第１の複数の細長い開口部を有し、第２のダクト部分が、第３のダクト部分を第２の高さで第２のダクト部分に固定する第２の複数の細長い開口部を有する。
【０００６】
本発明のある実施形態では、第１のダクト部分および第２のダクト部分のうち少なくとも１つが、第２のダクト部分を第１の高さで第１のダクト部分に固定する少なくとも１つの第１の固定具を有し、第２のダクト部分および第３のダクト部分のうち少なくとも１つが、第３のダクト部分を第２の高さで第２のダクト部分に固定する少なくとも１つの第２の固定具を有する。
【０００７】
本発明のある実施形態は、電子機器の筐体の垂直排気ダクトを提供する。垂直排気ダクトは、第１のダクト部分と、第１のダクト部分に滑動可能に接続され、第１のダクト部分上方の高さへ伸長可能な第２のダクト部分と、第２のダクト部分に滑動可能に接続され、第２のダクト部分の第１の側面に近接した第１の位置へ伸長可能な垂直排気ダクトと第１の近接した垂直排気ダクトの間の第１の間隙を密閉する第１の側面フランジを有する。
【０００８】
本発明のある実施形態は、電子機器の筐体の垂直排気ダクトを提供する。垂直排気ダクトは、ダクト部分と、ダクト部分に滑動可能に接続され、ダクト部分の１つの側面に近接した位置へ伸長可能な、垂直排気ダクトと近接した垂直排気ダクトの間の間隙を密閉するフランジを有する。
【図面の簡単な説明】
【０００９】
【図１】引っ込んだ垂直位置の排気ダクトを示す、本発明の実施形態による調節可能な垂直排気ダクトの斜視図である。
【図２】部分的に伸びた垂直位置の排気ダクトを示す、図１の調節可能な垂直排気ダクトの斜視図である。
【図３】完全に伸びた垂直位置の排気ダクトを示す、図１の調節可能な垂直排気ダクトの斜視図である。
【図４】ダクト底部および外側ダクト部分の部材を示す、図３の調節可能な垂直排気ダクトの分解図である。
【図５】外側ダクト部分が組み立てられた後の、図４の外側ダクト部分の一部分の詳細図である。
【図６】内側ダクト部分および頂部枠の部材を示す、図３の調節可能な垂直排気ダクトの分解図である。
【図７】４つの同一のナット、ネジ、およびスロットロックシステムが内側ダクト部分を外側ダクト部分へ固定する、図２の調節可能な垂直排気ダクトのロックシステムのうちの１つの詳細図である。
【図８】４つの同一のナット、ネジ、およびスロットロックシステムが頂部枠を内側ダクト部分へ固定する、図２の調節可能な垂直排気ダクトのロックシステムのうちの１つの詳細図である。
【図９】頂部枠が引っ込んだ水平位置にある、図３の頂部枠の斜視図である。
【図１０】図９の部分Ａの詳細図である。
【図１１】頂部枠が伸びた水平位置にある、図３の頂部枠の斜視図である。
【図１２】図１１の部分Ａの詳細図である。
【図１３】ネットワークキャビネットの頂部キャップに取り付けられた、図４のダクト底部の上面図である。
【図１４】図１３の線Ａ−Ａに沿った横断面図である。
【図１５】図１３の線Ｂ−Ｂに沿った横断面図である。
【図１６】それぞれが図２の調節可能な垂直排気ダクトを有する、２つの近接したネットワークキャビネットの部分斜視図である。
【図１７】頂部枠が引っ込んだ水平位置にあり、近接した構体の間に間隙が存在する、図１６の２つの近接した調節可能な垂直排気ダクトの部分側面図である。
【図１８】頂部枠が伸びた水平位置にあり、間隙が近接した構体の間で密閉された、図１６の２つの近接した調節可能な垂直排気ダクトの部分側面図である。
【発明を実施するための形態】
【００１０】
図１〜図１８は、データセンタ室内のネットワークキャビネット用の調節可能な垂直排気ダクト１００を示す。排気ダクト１００は、熱気をネットワークキャビネットからデータセンタ室内の排気プレナム内へ流す。ネットワークキャビネットおよび排気プレナムは、異なる高さで提供され、潜在的にネットワークキャビネットと排気プレナムの間に垂直の間隙を残す。また、通常同一のサイズの排気ダクト１００が２４、２８、または３２インチのような異なる幅のネットワークキャビネットに使用され、潜在的に隣りあった垂直排気ダクト間に水平の間隙２０（図１７参照）を残す。しかし、排気ダクト１００は、これらの間隙に適応が可能である。
【００１１】
排気ダクト１００は、ダクト底部１１０、外側ダクト部分１２０、内側ダクト部分１３０、および頂部枠１４０を有する。
【００１２】
図１は、引っ込んだ垂直位置の排気ダクト１００を示す（例えば内側ダクト部分１３０および頂部枠１４０が引っ込んだ垂直位置にある）。引っ込んだ垂直位置において、排気ダクト１００は約４２インチの高さが望ましい。
【００１３】
図２は、部分的に伸びた垂直位置の排気ダクト１００を示す（例えば内側ダクト部分１３０が伸びた垂直位置にあり、頂部枠１４０が引っ込んだ垂直位置）。部分的に伸びた垂直位置において、排気ダクト１００は約６８インチの高さが望ましい。
【００１４】
図３は、完全に伸びた垂直位置の排気ダクト１００を示す（例えば内側ダクト部分１３０および頂部枠１４０が伸びた垂直位置にある）。完全に伸びた垂直位置おいて、排気ダクト１００は約７０インチの高さが望ましい。
【００１５】
前述のように、図１は、引っ込んだ垂直位置の内側ダクト部分１３０を示し、図２および図３は、伸びた垂直位置の内側ダクト部分１３０を示す。内側ダクト部分１３０は外側ダクト部分１２０より小さいことが望ましく、内側ダクト部分１３０は伸縮して排気ダクト１００の高さを調整するのが望ましい。すなわち、調節可能または伸縮する内側ダクト部分１３０は、排気ダクトの高さの「大まかな」調整、例えば、約４２インチの高さから約６８インチの高さまでを提供する。
【００１６】
また、前述のように、図１および図２は、引っ込んだ垂直位置の頂部枠１４０を示し、図３は伸びた垂直位置の頂部枠１４０を示す。図６に最もよく見られるように、頂部枠１４０は、下部フランジ１４１および上部フランジ１４２を有する。下部フランジ１４１は内側ダクト部分１３０より小さいことが望ましく、頂部枠１４０は伸縮して排気ダクト１００の高さを調整するのが望ましい。すなわち、調節可能または伸縮する頂部枠１４０は、排気ダクトの高さの「細かい」調整、例えば、約６８インチの高さから約７０インチの高さまでを提供する。
【００１７】
図４は、外側ダクト部分１２０の形成された部品を示す。外側ダクト部分１２０は、２つの端部パネル１２１および２つの側部パネル１２２を有する。図５に示されるように、端部パネル１２１および側部パネル１２２は、それぞれの部品の開いた縁を用いて角部でともにつなぐ。端部パネル１２１および側部パネル１２２は、ダクト底部１１０に固定される。
【００１８】
図６は、内側ダクト部分１３０の形成された部品を示す。内側ダクト部分１３０は、２つの端部パネル１３１および２つの側部パネル１３２を有する。外側ダクト部分１２０と同様に（図５参照）、端部パネル１３１および側部パネル１３２は、それぞれの部品の開いた縁を用いて角部でともにつながり、ネジ切り固定具でともに接続される。
【００１９】
外側ダクト部分１２０は、複数のスロット１２３を有する。それぞれのスロット１２３は、無限の調節可能性を提供するよう構成されるのが望ましい。例えば、図７に最もよく見られるように、１つのスロットが他のスロットより長い。内側ダクト部分１３０は、複数のナット１３３を有する複数の開口部を持つ。それぞれの開口部が同一で、それぞれのナット１３３がＰＥＭナットのような挿入ハードウェアナットであることが望ましい。図７に示されるように、外側ダクト部分１２０のスロット１２３は内側ダクト部分１３０のナット１３３と整列し、ネジが外側および内側ダクト部分１２０、１３０をともに所望の高さに保つ。ネジは、外側および内側ダクト部分１２０、１３０をともに固定するため、塗装穿孔ワッシャを有してもよい。また、外側ダクト部分１２０は内側ダクト部分１３０に重なって、それぞれのスロット１２３を覆い、空気の漏出を防ぐ。
【００２０】
同様に、内側ダクト部分１３０は、複数のスロット１３４を有する。それぞれの開口部が同一であることが望ましい。頂部枠１４０は、複数のナット１４４を持つ複数の開口部を有する。それぞれの開口部が同一で、それぞれのナット１４４がＰＥＭナットのような挿入ハードウェアナットであることが望ましい。図８に示されるように、内側ダクト部分１３０のスロット１３４は頂部枠１４０のナット１４４と整列し、ネジが内側ダクト部分１３０および頂部枠１４０をともに所望の高さに保つ。ネジは、内側ダクト部分１３０および頂部枠１４０をともに固定するため、塗装穿孔ワッシャを有してもよい。また、内側ダクト部分１３０は頂部枠１４０に重なって、それぞれのスロット１３４を覆い、空気の漏出を防ぐ。
【００２１】
再び図６を参照すると、上部フランジ１４２は、前面フランジ１４５、後面フランジ１４６、および２つの側面フランジ１４７を有する。前面および後面フランジ１４５、１４６は下部フランジ１４１と一体的に形成されるが、前面および後面フランジ１４５、１４６を下部フランジ１４１に除去可能に接続することも、同様に考えられる。側面フランジ１４７は、例えばスロット１４８および固定具（図示せず）を介して前面および後面フランジ１４５、１４６に滑動可能に接続され、側面フランジ１４７が引っ込んだ水平位置（図９および１０参照）から伸びた水平位置（図１１および１２参照）まで滑動することを可能にする。また、上部フランジ１４２、およびとりわけ前面、後面および側面フランジ１４５〜１４７は、泡状および／またはゴムガスケットのような、排気プレナムを押して、熱気をネットワークキャビネットから排出し排気プレナム内に流すのを確実にする、１つまたは複数のガスケット１４９を有してもよい。
【００２２】
図１３に最もよく見られるように、例えば鋸歯状頭ネジのような１つまたは複数の固定具１１１を用いて、ダクト底部１１０をネットワークキャビネットの頂部キャップ１１に固定し、ネットワークキャビネットおよびダクト底部１１０をともに接地してもよい（図１４および図１５参照）。そのようなものとして、接地する打ち込みは必要がない。
【００２３】
動作時には、設置者は、排気ダクト１００を引っ込んだ垂直位置（図１参照）で始める。設置者は、内側ダクト部分１３０を伸びた垂直位置へ上げ（図２参照）、前述のように内側ダクト部分１３０を外側ダクト部分１２０へ固定する。次に設置者は、頂部枠１４０を伸びた垂直位置へ上げ（図３参照）、前述のように頂部枠１４０を内側ダクト部分１３０へ固定し、ネットワークキャビネットとデータセンタ室内の排気プレナムの間の垂直の間隙を密閉する。ガスケット１４９が、ネットワークキャビネットとデータセンタ室内の排気プレナムの間の垂直の間隙をさらに密閉する。
【００２４】
ネットワークキャビネットが近接する場合、近接した排気ダクト１００の内側ダクト部分１３０は、１つまたは複数の任意の連結取付金具１５０を用いて、近接した排気ダクト１００の内側ダクト部分１３０を接続してもよい（図１６参照）。加えてまたは別に、側面フランジ１４７を引っ込んだ水平位置（図１７参照）から伸びた水平位置（図１８参照）へ滑動し、近接した排気ダクト１００の間の水平の間隙を密閉してもよい。
【００２５】
本発明の特に望ましい実施形態を示し記載した一方、当業者には変更および改良が本発明の教示から逸脱することなくなされうることが明らかになるであろう。前述の記載および添付の図で述べた事柄は説明の目的のみで提供されたものであり、限定ではない。示された実施形態は例示のみであり、本発明の範囲を限定すると取られるべきではない。請求項は、影響を記した場合を除いて、記載した順序または構成要素に限定されると読むべきではない。従って、後述の請求項および等価物の範囲および趣旨内に入る全ての実施形態を、本発明として主張する。
【符号の説明】
【００２６】
１１  頂部キャップ
２０  水平の間隙
１００  排気ダクト
１１０  ダクト底部
１２０  外側ダクト部分
１２１  端部パネル
１２２  側部パネル
１２３  スロット
１３０  内側ダクト部分
１３１  端部パネル
１３２  側部パネル
１３３  ナット
１３４  スロット
１４０  頂部枠
１４１  下部フランジ
１４２  上部フランジ
１４４  ナット
１４５  前面フランジ
１４６  後面フランジ
１４７  側面フランジ
１４８  スロット
１４９  ガスケット
【図１】
2012532378.tif 000003
【図２】
2012532378.tif 000004
【図３】
2012532378.tif 000005
【図４】
2012532378.tif 000006
【図５】
2012532378.tif 000007
【図６】
2012532378.tif 000008
【図７】
2012532378.tif 000009
【図８】
2012532378.tif 000010
【図９】
2012532378.tif 000011
【図１０】
2012532378.tif 000012
【図１１】
2012532378.tif 000013
【図１２】
2012532378.tif 000014
【図１３】
2012532378.tif 000015
【図１４】
2012532378.tif 000016
【図１５】
2012532378.tif 000017
【図１６】
2012532378.tif 000018
【図１７】
2012532378.tif 000019
【図１８】
2012532378.tif 000020
【手続補正書】
【提出日】平成24年2月29日(2012.2.29)
【手続補正１】
【補正対象書類名】図面
【補正対象項目名】全図
【補正方法】変更
【補正の内容】
【図１】
2012532378.tif 000021
【図２】
2012532378.tif 000022
【図３】
2012532378.tif 000023
【図４】
2012532378.tif 000024
【図５】
2012532378.tif 000025
【図６】
2012532378.tif 000026
【図７】
2012532378.tif 000027
【図８】
2012532378.tif 000028
【図９】
2012532378.tif 000029
【図１０】
2012532378.tif 000030
【図１１】
2012532378.tif 000031
【図１２】
2012532378.tif 000032
【図１３】
2012532378.tif 000033
【図１４】
2012532378.tif 000034
【図１５】
2012532378.tif 000035
【図１６】
2012532378.tif 000036
【図１７】
2012532378.tif 000037
【図１８】
2012532378.tif 000038
【国際調査報告】
2012532378.tif 000039
2012532378.tif 000040
2012532378.tif 000041
2012532378.tif 000042